(57)【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備え、各ビード部のビードコアの外周上にビードフィラーが配置され、前記一対のビード部間に少なくとも１層のカーカス層が装架され、前記トレッド部における前記カーカス層の外周側に複数層のベルト層が配置され、前記サイドウォール部にサイドウォールゴム層及びリムクッションゴム層が前記カーカス層の外側に配置され、前記カーカス層が前記ビードコアの廻りにタイヤ内側から外側へ巻き上げられた構造を有する空気入りタイヤにおいて、
前記カーカス層と前記サイドウォール部で前記カーカス層の外側に配置されたゴム層との間に該ゴム層に当接しながらタイヤ周方向に沿って延在するトランスポンダが埋設され、該トランスポンダが前記カーカス層の巻き上げ部の端末からタイヤ径方向に１０ｍｍ以上離間して配置され、前記トランスポンダの中心が前記サイドウォールゴム層、前記リムクッションゴム層及び前記カーカス層の各スプライス部からタイヤ周方向に１０ｍｍ以上離間して配置されていることを特徴とする空気入りタイヤ。
【請求項２】
前記サイドウォール部においてタイヤ幅方向最外側に位置する前記カーカス層の巻き上げ部の端末が前記ビードフィラーの上端からタイヤ径方向外側に５ｍｍの位置と前記ベルト層の端末からタイヤ径方向内側に１５ｍｍの位置との間に配置され、前記トランスポンダが前記ビードコアの上端からタイヤ径方向外側に１５ｍｍ以上離間して配置されていることを特徴とする請求項１に記載の空気入りタイヤ。
【請求項３】
前記トランスポンダの断面中心とタイヤ外表面との距離が２ｍｍ以上であることを特徴とする請求項１又は２に記載の空気入りタイヤ。
【請求項４】
前記トランスポンダが被覆層により被覆され、該被覆層の比誘電率が７以下であることを特徴とする請求項１〜３のいずれかに記載の空気入りタイヤ。
【請求項５】
前記トランスポンダが被覆層により被覆され、該被覆層の厚さが０．５ｍｍ〜３．０ｍｍであることを特徴とする請求項１〜４のいずれかに記載の空気入りタイヤ。
【請求項６】
前記トランスポンダがデータを記憶するＩＣ基板とデータを送受信するアンテナとを有し、該アンテナが螺旋状であることを特徴とする請求項１〜５のいずれかに記載の空気入りタイヤ。
【発明の詳細な説明】
【技術分野】
【０００１】
本発明は、トランスポンダが埋設された空気入りタイヤに関し、更に詳しくは、トランスポンダの通信性を確保しながら、タイヤの操縦安定性及び耐久性を改善することを可能にした空気入りタイヤに関する。
【背景技術】
【０００２】
空気入りタイヤにおいて、ＲＦＩＤタグ（トランスポンダ）をタイヤ内に埋設することが提案されている（例えば、特許文献１参照）。トランスポンダをタイヤ内に埋設する場合、例えば、トランスポンダをカーカス層とビードフィラーとの間に配置すると、カーカス層におけるカーカスラインが乱れ、タイヤの操縦安定性が悪化するという問題がある。また、カーカス層の巻き上げ部の端末位置によっては、トランスポンダとカーカス層の巻き上げ部の端末との距離が極端に小さくなり、トランスポンダを起点としてタイヤが損傷することがある。更に、トランスポンダを金属製のタイヤ構成部材（例えば、ビードコア等）の近くに配置すると、そのタイヤ構成部材とトランスポンダとが干渉して、トランスポンダの通信性が悪化するという問題がある。
【先行技術文献】
【特許文献】
【０００３】
【特許文献１】特開平７−１３７５１０号公報
【発明の概要】
【発明が解決しようとする課題】
【０００４】
本発明の目的は、トランスポンダの通信性を確保しながら、タイヤの操縦安定性及び耐久性を改善することを可能にした空気入りタイヤを提供することにある。
【課題を解決するための手段】
【０００５】
上記目的を達成するため本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備え、各ビード部のビードコアの外周上にビードフィラーが配置され、前記一対のビード部間に少なくとも１層のカーカス層が装架され、前記トレッド部における前記カーカス層の外周側に複数層のベルト層が配置され、前記サイドウォール部にサイドウォールゴム層及びリムクッションゴム層が前記カーカス層の外側に配置され、前記カーカス層が前記ビードコアの廻りにタイヤ内側から外側へ巻き上げられた構造を有する空気入りタイヤにおいて、前記カーカス層と前記サイドウォール部で前記カーカス層の外側に配置されたゴム層との間に該ゴム層に当接しながらタイヤ周方向に沿って延在するトランスポンダが埋設され、該トランスポンダが前記カーカス層の巻き上げ部の端末からタイヤ径方向に１０ｍｍ以上離間して配置され、前記トランスポンダの中心が前記サイドウォールゴム層、前記リムクッションゴム層及び前記カーカス層の各スプライス部からタイヤ周方向に１０ｍｍ以上離間して配置されていることを特徴とするものである。
【発明の効果】
【０００６】
本発明では、カーカス層が各ビード部のビードコアの廻りにタイヤ内側から外側へ巻き上げられた構造を有する空気入りタイヤにおいて、カーカス層とサイドウォール部でカーカス層の外側に配置されたゴム層との間にゴム層に当接しながらタイヤ周方向に沿って延在するトランスポンダが埋設され、トランスポンダはカーカス層の巻き上げ部の端末からタイヤ径方向に１０ｍｍ以上離間して配置されているので、トランスポンダの配置によってカーカスラインを乱すことがなく、タイヤの操縦安定性を改善することができる。また、金属干渉が生じにくく、トランスポンダの通信性を確保することができる。トランスポンダとカーカス層の巻き上げ部の端末との距離が極端に小さいと、応力集中が発生してタイヤの耐久性が悪化することがあるが、上述したように当該距離を確保することで、タイヤの耐久性を改善することができる。
【０００７】
本発明の空気入りタイヤにおいて、サイドウォール部においてタイヤ幅方向最外側に位置するカーカス層の巻き上げ部の端末はビードフィラーの上端からタイヤ径方向外側に５ｍｍの位置とベルト層の端末からタイヤ径方向内側に１５ｍｍの位置との間に配置され、トランスポンダはビードコアの上端からタイヤ径方向外側に１５ｍｍ以上離間して配置されていることが好ましい。サイドウォール部においてタイヤ幅方向最外側に位置するカーカス層の巻き上げ部の端末が上述した領域にあることで、タイヤの耐久性を効果的に改善することができる。また、トランスポンダがビードコアの上端からタイヤ径方向外側に１５ｍｍ以上離間して配置されていることで、金属干渉が生じにくく、トランスポンダの通信性を十分に確保することができる。
【０００８】
トランスポンダの中心はタイヤ構成部材のスプライス部からタイヤ周方向に１０ｍｍ以上離間して配置されていることが好ましい。これにより、タイヤの耐久性を効果的に改善することができる。
【０００９】
トランスポンダの断面中心とタイヤ外表面との距離は２ｍｍ以上であることが好ましい。これにより、タイヤの耐久性を効果的に改善することができると共に、タイヤの耐外傷性を改善することができる。
【００１０】
トランスポンダは被覆層により被覆され、被覆層の比誘電率は７以下であることが好ましい。これにより、トランスポンダが被覆層により保護され、トランスポンダの耐久性を改善することができると共に、トランスポンダの電波透過性を確保し、トランスポンダの通信性を効果的に改善することができる。
【００１１】
トランスポンダは被覆層により被覆され、被覆層の厚さは０．５ｍｍ〜３．０ｍｍであることが好ましい。これにより、タイヤ外表面に凹凸を生じさせることなく、トランスポンダの通信性を効果的に改善することができる。
【００１２】
トランスポンダはデータを記憶するＩＣ基板とデータを送受信するアンテナとを有し、アンテナは螺旋状であることが好ましい。これにより、走行時におけるタイヤの変形に対して追従することができ、トランスポンダの耐久性を改善することができる。
【図面の簡単な説明】
【００１３】
【図１】本発明の実施形態からなる空気入りタイヤを示す子午線半断面図である。
【図２】図１の空気入りタイヤを概略的に示す子午線断面図である。
【図３】図１の空気入りタイヤを概略的に示す赤道線断面図である。
【図４】図１の空気入りタイヤに埋設されたトランスポンダを拡大して示す断面図である。
【図５】（ａ），（ｂ）は本発明に係る空気入りタイヤに埋設可能なトランスポンダを示す斜視図である。
【図６】本発明の実施形態からなる空気入りタイヤの変形例を概略的に示す子午線断面図である。
【図７】試験タイヤにおけるカーカス層の巻き上げ部の端末のタイヤ径方向位置を示す説明図である。
【発明を実施するための形態】
【００１４】
以下、本発明の構成について添付の図面を参照しながら詳細に説明する。図１〜４は本発明の実施形態からなる空気入りタイヤを示すものである。
【００１５】
図１に示すように、本実施形態の空気入りタイヤは、タイヤ周方向に延在して環状をなすトレッド部１と、トレッド部１の両側に配置された一対のサイドウォール部２と、これらサイドウォール部２のタイヤ径方向内側に配置された一対のビード部３とを備えている。
【００１６】
一対のビード部３間には、複数本のカーカスコードをラジアル方向に配列してなる少なくとも１層（図１では１層）のカーカス層４が装架されている。カーカス層４を構成するカーカスコードとしては、ナイロンやポリエステル等の有機繊維コードが好ましく使用される。各ビード部３には環状のビードコア５が埋設されており、そのビードコア５の外周上に断面三角形状のゴム組成物からなるビードフィラー６が配置されている。
【００１７】
一方、トレッド部１におけるカーカス層４のタイヤ外周側には、複数層（図１では２層）のベルト層７が埋設されている。ベルト層７は、タイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。
【００１８】
ベルト層７のタイヤ外周側には、高速耐久性の向上を目的として、補強コードをタイヤ周方向に対して例えば５°以下の角度で配列してなる少なくとも１層（図１では２層）のベルトカバー層８が配置されている。図１において、タイヤ径方向内側に位置するベルトカバー層８はベルト層７の全幅を覆うフルカバーを構成し、タイヤ径方向外側に位置するベルトカバー層８はベルト層７の端部のみを覆うエッジカバー層を構成している。ベルトカバー層８の補強コードとしては、ナイロンやアラミド等の有機繊維コードが好ましく使用される。
【００１９】
上記空気入りタイヤにおいて、カーカス層４の両端末４ｅは、各ビードコア５の廻りにタイヤ内側から外側へ折り返され、ビードコア５及びビードフィラー６を包み込むように配置されている。カーカス層４は、トレッド部１から各サイドウォール部２を経て各ビード部３に至る部分である本体部４Ａと、各ビード部３においてビードコア５の廻りに巻き上げられて各サイドウォール部２側に向かって延在する部分である巻き上げ部４Ｂとを含む。
【００２０】
また、トレッド部１にはキャップトレッドゴム層１１が配置され、サイドウォール部２にはサイドウォールゴム層１２が配置され、ビード部３にはリムクッションゴム層１３が配置されている。サイドウォール部２でカーカス層４の外側に配置されたゴム層１０は、サイドウォールゴム層１２とリムクッションゴム層１３とを含む。
【００２１】
また、上記空気入りタイヤにおいて、カーカス層４とゴム層１０との間には、ゴム層１０に当接するようにトランスポンダ２０が埋設されている。即ち、トランスポンダ２０は、タイヤ幅方向の配置領域として、カーカス層４とサイドウォールゴム層１２又はリムクッションゴム層１３との間に当該ゴム層に当接しながら配置されている。また、トランスポンダ２０は、タイヤ径方向の配置領域として、カーカス層４の巻き上げ部４Ｂの端末４ｅからタイヤ径方向に１０ｍｍ以上離間して配置されている。また、トランスポンダ２０はタイヤ周方向に沿って延在している。トランスポンダ２０は、タイヤ周方向に対して−１０°〜１０°の範囲で傾斜するように配置しても良い。
【００２２】
なお、図１及び図２の実施形態では、トランスポンダ２０がカーカス層４の巻き上げ部４Ｂの端末４ｅからタイヤ径方向内側に１０ｍｍ以上離間して配置された例を示したが、これに限定されるものではなく、トランスポンダ２０がカーカス層４の巻き上げ部４Ｂの端末４ｅからタイヤ径方向外側に１０ｍｍ以上離間して配置されていても良い。即ち、本発明では、トランスポンダ２０がカーカス層４の巻き上げ部４Ｂの端末４ｅからタイヤ径方向に１０ｍｍ以上離間して配置されていれば良い。また、図１及び図２の実施形態では、カーカス層４の巻き上げ部４Ｂの端末４ｅがサイドウォール部２の中腹に配置された例を示したが、カーカス層４の巻き上げ部４Ｂの端末４ｅがビードコア５の側方に配置されていても良い。このようなロータンナップ構造において、トランスポンダ２０は、カーカス層４（より具体的にはビードフィラー６）とサイドウォールゴム層１２又はリムクッションゴム層１３との間に当該ゴム層に当接しながら配置されていても良い。
【００２３】
トランスポンダ２０として、例えば、ＲＦＩＤ（Radio Frequency Identification）タグを用いることができる。トランスポンダ２０は、図５（ａ），（ｂ）に示すにように、データを記憶するＩＣ基板２１とデータを非接触で送受信するアンテナ２２とを有している。このようなトランスポンダ２０を用いることで、適時にタイヤに関する情報を書き込み又は読み出し、タイヤを効率的に管理することができる。なお、ＲＦＩＤとは、アンテナ及びコントローラを有するリーダライタと、ＩＣ基板及びアンテナを有するＩＤタグから構成され、無線方式によりデータを交信可能な自動認識技術である。
【００２４】
トランスポンダ２０の全体の形状は、特に限定されるものではなく、例えば、図５（ａ），（ｂ）に示すにように柱状や板状のものを用いることができる。特に、図５（ａ）に示す柱状のトランスポンダ２０を用いた場合、タイヤの各方向の変形に対して追従することができるので好適である。この場合、トランスポンダ２０のアンテナ２２は、ＩＣ基板２１の両端部の各々から突出し、螺旋状を呈している。これにより、走行時におけるタイヤの変形に対して追従することができ、トランスポンダ２０の耐久性を改善することができる。更に、アンテナ２２の長さを適宜変更することにより、通信性を確保することができる。
【００２５】
上述した空気入りタイヤでは、カーカス層４とサイドウォール部２でカーカス層４の外側に配置されたゴム層１０との間にゴム層１０に当接しながらタイヤ周方向に沿って延在するトランスポンダ２０が埋設され、トランスポンダ２０はカーカス層４の巻き上げ部４Ｂの端末４ｅからタイヤ径方向に１０ｍｍ以上離間して配置されているので、トランスポンダ２０の配置によってカーカスラインを乱すことがなく、タイヤの操縦安定性を改善することができる。また、金属干渉が生じにくく、トランスポンダ２０の通信性を確保することができる。トランスポンダ２０とカーカス層４の巻き上げ部４Ｂの端末４ｅとの距離が極端に小さいと、応力集中が発生してタイヤの耐久性が悪化することがあるが、上述したように当該距離を確保することで、タイヤの耐久性を改善することができる。
【００２６】
上記空気入りタイヤにおいて、サイドウォール部２においてタイヤ幅方向最外側に位置するカーカス層４の巻き上げ部４Ｂの端末４ｅは、ビードフィラー６の上端６ｅからタイヤ径方向外側に５ｍｍの位置Ｐ１と、ベルト層７の端末７ｅからタイヤ径方向内側に１５ｍｍの位置Ｐ２との間に配置され、トランスポンダ２０はビードコア５の上端５ｅからタイヤ径方向外側に１５ｍｍ以上離間して配置されていると良い。即ち、カーカス層４の巻き上げ部４Ｂの端末４ｅは図２に示す領域Ｓ１に配置され、トランスポンダ２０は図２に示す位置Ｐ３よりタイヤ径方向外側であって領域Ｓ２を除く領域に配置されていると良い。但し、カーカス層４の巻き上げ部４Ｂの端末４ｅは、タイヤ径方向位置の上限として位置Ｐ２が設定されているので、トランスポンダ２０のタイヤ径方向位置の上限は、それに応じて位置Ｐ２よりタイヤ径方向外側に１０ｍｍの位置（言い換えれば、ベルト層７の端末７ｅからタイヤ径方向内側に５ｍｍの位置）とすることが良い。
【００２７】
上述した空気入りタイヤでは、サイドウォール部２においてタイヤ幅方向最外側に位置するカーカス層４の巻き上げ部４Ｂの端末４ｅが領域Ｓ１に配置された場合、タイヤの耐久性を効果的に改善することができる。また、トランスポンダ２０が位置Ｐ３よりタイヤ径方向外側に配置された場合、金属干渉が生じにくく、トランスポンダの通信性を十分に確保することができる。ここで、トランスポンダ２０が位置Ｐ３よりタイヤ径方向内側に配置されていると、リムフランジとの金属干渉が発生し、トランスポンダ２０の通信性が低下する傾向がある。一方、カーカス層４の巻き上げ部４Ｂの端末４ｅが、位置Ｐ１よりタイヤ径方向内側或いは位置Ｐ２よりタイヤ径方向外側に配置されると、タイヤの耐久性が悪化する傾向がある。
【００２８】
図３に示すように、タイヤ周上には、タイヤ構成部材の端部同士が重ねられてなる複数のスプライス部がある。図３には各スプライス部のタイヤ周方向の位置Ｑが示されている。トランスポンダ２０の中心は、タイヤ構成部材のスプライス部からタイヤ周方向に１０ｍｍ以上離間して配置されていることが好ましい。即ち、トランスポンダ２０は、図３に示す領域Ｓ３に配置されていると良い。具体的には、トランスポンダ２０を構成するＩＣ基板２１が位置Ｑからタイヤ周方向に１０ｍｍ以上離間していると良い。更には、アンテナ２２を含むトランスポンダ２０の全体が位置Ｑからタイヤ周方向に１０ｍｍ以上離間していることがより好ましく、被覆ゴムにより被覆された状態のトランスポンダ２０の全体が位置Ｑからタイヤ周方向に１０ｍｍ以上離間していることが最も好ましい。また、トランスポンダ２０と離間して配置するタイヤ構成部材として、トランスポンダ２０と隣接して配置されるサイドウォールゴム層１２又はリムクッションゴム層１３、或いはカーカス層４であることが好ましい。このようにタイヤ構成部材のスプライス部から離間させてトランスポンダ２０を配置することで、タイヤの耐久性を効果的に改善することができる。
【００２９】
なお、図３の実施形態では、各タイヤ構成部材のスプライス部のタイヤ周方向の位置Ｑが等間隔に配置された例を示したが、これに限定されるものではない。タイヤ周方向の位置Ｑは任意の位置に設定することができ、いずれの場合であってもトランスポンダ２０は各タイヤ構成部材のスプライス部からタイヤ周方向に１０ｍｍ以上離間するように配置される。
【００３０】
図４に示すように、トランスポンダ２０の断面中心とタイヤ外表面との距離ｄは２ｍｍ以上であることが好ましい。このようにトランスポンダ２０とタイヤ外表面とを離間させることで、タイヤの耐久性を効果的に改善することができると共に、タイヤの耐外傷性を改善することができる。
【００３１】
また、トランスポンダ２０は被覆層２３により被覆されていると良い。この被覆層２３は、トランスポンダ２０の表裏両面を挟むようにしてトランスポンダ２０の全体を被覆する。被覆層２３は、サイドウォールゴム層１２又はリムクッションゴム層１３を構成するゴムと同じ物性を有するゴムで構成しても良く、異なる物性を有するゴムで構成しても良い。このようにトランスポンダ２０が被覆層２３により保護されていることで、トランスポンダ２０の耐久性を改善することができる。
【００３２】
上記空気入りタイヤにおいて、トランスポンダ２０が被覆層２３により被覆された状態で、被覆層２３の比誘電率は７以下であることが好ましく、２〜５であることがより好ましい。このように被覆層２３の比誘電率を適度に設定することで、トランスポンダ２０が電波を放射する際の電波透過性を確保し、トランスポンダ２０の通信性を効果的に改善することができる。なお、被覆層２３を構成するゴムの比誘電率は、常温において８６０ＭＨｚ〜９６０ＭＨｚの比誘電率である。ここで、常温はＪＩＳ規格の標準状態に準拠し、２３±２℃、６０％±５％ＲＨである。当該ゴムは２３℃、６０％ＲＨで２４時間処理された後に比誘電率が計測される。上述した８６０ＭＨｚ〜９６０ＭＨｚの範囲は、現状のＵＨＦ帯のＲＦＩＤの割り当て周波数に該当するが、上記割り当て周波数が変更された場合、その割り当て周波数の範囲の比誘電率を上記の如く規定すれば良い。
【００３３】
また、トランスポンダ２０が被覆層２３により被覆された状態で、被覆層２３の厚さｔは０．５ｍｍ〜３．０ｍｍであることが好ましく、１．０ｍｍ〜２．５ｍｍであることがより好ましい。ここで、被覆層２３の厚さｔは、トランスポンダ２０を含む位置でのゴム厚さであり、例えば、図４に示すようにトランスポンダ２０の中心を通ってタイヤ外表面と直交する直線上での厚さｔ１と厚さｔ２を合計したゴム厚さである。このように被覆層２３の厚さｔを適度に設定することで、タイヤ外表面に凹凸を生じさせることなく、トランスポンダ２０の通信性を効果的に改善することができる。ここで、被覆層２３の厚さｔが０．５ｍｍより薄いと、トランスポンダ２０の通信性の改善効果を得ることができず、逆に被覆層２３の厚さｔが３．０ｍｍを超えると、タイヤ外表面に凹凸が生じ、外観上好ましくない。なお、被覆層２３の断面形状は、特に限定されるものではないが、例えば、三角形や長方形、台形、紡錘形を採用することができる。図４の被覆層２３では略紡錘形の断面形状を有している。
【００３４】
図６は本発明の実施形態からなる空気入りタイヤの変形例を示すものである。図６において、図１〜図４と同一物には同一符号を付してその部分の詳細な説明は省略する。
【００３５】
図６に示すように、本実施形態では２層のカーカス層４を有している。カーカス層４は、トレッド部１においてタイヤ径方向内側に位置する内周側カーカス層４１と、トレッド部１においてタイヤ径方向外側に位置する外周側カーカス層４２とを含んでいる。この場合、トランスポンダ２０は、内周側カーカス層４１の巻き上げ部４１Ｂの端末４１ｅ及び外周側カーカス層４２の巻き上げ部４２Ｂの端末４２ｅのそれぞれからタイヤ径方向に１０ｍｍ以上離間して配置されている。また、サイドウォール部２においてタイヤ幅方向最外側に位置する内周側カーカス層４１の巻き上げ部４１Ｂの端末４１ｅは領域Ｓ１に配置され、トランスポンダ２０は位置Ｐ３よりタイヤ径方向外側であって領域Ｓ２及び領域Ｓ４を除く領域に配置されていると良い。
【実施例】
【００３６】
タイヤサイズ２６５／４０ＺＲ２０で、タイヤ周方向に延在して環状をなすトレッド部と、トレッド部の両側に配置された一対のサイドウォール部と、これらサイドウォール部のタイヤ径方向内側に配置された一対のビード部とを備え、各ビード部のビードコアの外周上にビードフィラーが配置され、一対のビード部間にカーカス層が装架され、トレッド部におけるカーカス層の外周側に複数層のベルト層が配置され、カーカス層がビードコアの廻りにタイヤ内側から外側へ巻き上げられた構造を有する空気入りタイヤにおいて、タイヤ周方向に沿って延在するトランスポンダが埋設され、トランスポンダの位置（タイヤ幅方向、タイヤ径方向及びタイヤ周方向）、巻き上げ部の端末位置、トランスポンダとタイヤ外表面の距離、被覆層の比誘電率、被覆層の厚さ、トランスポンダの形態を表１及び表２のように設定した比較例１〜５及び実施例１〜１８のタイヤを製作した。
【００３７】
なお、表１及び表２において、トランスポンダの位置（タイヤ幅方向）が「Ｘ」の場合、トランスポンダがビードフィラーとカーカス層との間に配置され、トランスポンダの位置（タイヤ幅方向）が「Ｙ」の場合、トランスポンダがカーカス層とサイドウォールゴム層との間にサイドウォールゴム層に当接して配置され、トランスポンダの位置（タイヤ幅方向）が「Ｚ」の場合、トランスポンダがカーカス層とリムクッションゴム層との間にリムクッションゴム層に当接して配置されていることを示す。トランスポンダの位置（タイヤ径方向）は、カーカス層の巻き上げ部の端末からタイヤ径方向に測定された距離［ｍｍ］を示す。トランスポンダの位置（タイヤ周方向）は、トランスポンダの中心からタイヤ構成部材のスプライス部までのタイヤ周方向に測定された距離［ｍｍ］を示す。また、表１及び表２において、巻き上げ部の端末位置は、図７に示すＡ〜Ｅのそれぞれの位置に対応する。図７では巻き上げ部の端末位置が「Ｃ」の例を使用している。
【００３８】
これら試験タイヤについて、下記試験方法により、タイヤ評価（操縦安定性、耐久性、耐外傷性及び外観性）並びにトランスポンダ評価（通信性及び耐久性）を実施し、その結果を表１及び表２に併せて示した。
【００３９】
操縦安定性（タイヤ）：
各試験タイヤを標準リムのホイールに組み付けて試験車両に装着し、テストドライバーによるテストコースでの官能評価を実施した。評価結果は、非常に良好である場合を「◎（優）」で示し、良好である場合を「○（良）」で示し、若干劣る場合を「△（可）」とする３段階で示した。
【００４０】
耐久性（タイヤ及びトランスポンダ）：
各試験タイヤを標準リムのホイールに組み付け、空気圧１２０ｋＰａ、最大負荷荷重に対して１０２％、走行速度８１ｋｍの条件でドラム試験機にて走行試験を実施した後、タイヤに故障が発生した際の走行距離を測定した。評価結果は、走行距離が６４８０ｋｍに達した場合を「◎（優）」で示し、走行距離が４０５０ｋｍ以上６４８０ｋｍ未満の場合を「○（良）」で示し、走行距離が３２４０ｋｍ以上４０５０ｋｍ未満の場合を「△（可）」で示し、走行距離が３２４０ｋｍ未満の場合を「×（不可）」の４段階で示した。更に、走行終了後に各試験タイヤのタイヤ外表面を目視し、タイヤの故障がトランスポンダを起点とするものであるか否かを確認した。評価結果はその故障の有無を示した。
【００４１】
耐外傷性（タイヤ）：
各試験タイヤを標準リムのホイールに組み付けて試験車両に装着し、空気圧２３０ｋＰａ、走行速度２０ｋｍ／ｈの条件で、高さ１００ｍｍの縁石に接触させながら走行するという走行試験を実施した。走行後に目視でタイヤ外表面の破損の有無を確認した。評価結果は、タイヤ外表面の破損の有無を示した。
【００４２】
外観性（タイヤ）：
各試験タイヤについて、トランスポンダの配置箇所に対応するタイヤ外表面を目視で確認した。評価結果は、タイヤ外表面においてトランスポンダの配置に起因する凹凸がなかった場合を「良好」とし、凹凸があった場合を「不良」として示した。
【００４３】
通信性（トランスポンダ）：
各試験タイヤについて、リーダライタを用いてトランスポンダとの通信作業を実施した。具体的には、リーダライタにおいて出力２５０ｍＷ、搬送波周波数８６０ＭＨｚ〜９６０ＭＨｚとして通信可能な最長距離を測定した。評価結果は、通信距離５００ｍｍ以上の場合を「◎（優）」で示し、通信距離が１５０ｍｍ以上５００ｍｍ未満の場合を「○（良）」で示し、通信距離が１５０ｍｍ未満の場合を「△（可）」の３段階で示した。
【００４４】
【表１】
0006683286.tif 000002
【００４５】
【表２】
0006683286.tif 000003
【００４６】
この表１及び表２から判るように、実施例１〜１８の空気入りタイヤは、タイヤの操縦安定性とタイヤの耐久性とトランスポンダの通信性がバランス良く改善されていた。実施例９の空気入りタイヤは、トランスポンダとタイヤ外表面の距離を短く設定したので、タイヤの耐外傷性が低下した。実施例１７の空気入りタイヤは、トランスポンダを被覆する被覆層の厚さを厚く設定したので、タイヤの外観性が低下した。実施例１８の空気入りタイヤは、柱状のトランスポンダを用いたので、トランスポンダの耐久性が向上し、トランスポンダを起点とする故障が無かった。
【００４７】
一方、比較例１においては、トランスポンダがビードフィラーとカーカス層との間に配置されていたため、タイヤの操縦安定性が悪化した。比較例１〜３においては、トランスポンダがカーカス層の巻き上げ部の端末位置と同じ高さに配置されていたため、タイヤの耐久性が悪化した。比較例４においては、トランスポンダとカーカス層の巻き上げ部の端末位置との離間距離が十分に確保されていなかったため、タイヤの耐久性が悪化した。比較例５においては、トランスポンダとカーカス層の巻き上げ部の端末位置との離間距離が確保されていたが、トランスポンダがビードフィラーとカーカス層との間に配置されていたため、タイヤの操縦安定性が悪化した。
【符号の説明】
【００４８】
１  トレッド部
２  サイドウォール部
３  ビード部
４  カーカス層
４Ａ  本体部
４Ｂ  巻き上げ部
５  ビードコア
６  ビードフィラー
７  ベルト層
１０  ゴム層
１２  サイドウォールゴム層
１３  リムクッションゴム層
２０  トランスポンダ
ＣＬ  タイヤ中心線
Ｐ１〜Ｐ３  位置
【要約】
【課題】トランスポンダの通信性を確保しながら、タイヤの操縦安定性及び耐久性を改善することを可能にした空気入りタイヤを提供する。
【解決手段】カーカス層４が各ビード部のビードコア５の廻りにタイヤ内側から外側へ巻き上げられた構造を有する空気入りタイヤにおいて、カーカス層４とサイドウォール部でカーカス層４の外側に配置されたゴム層との間に該ゴム層に当接しながらタイヤ周方向に沿って延在するトランスポンダ２０が埋設され、トランスポンダ２０はカーカス層４の巻き上げ部４Ｂの端末４ｅからタイヤ径方向に１０ｍｍ以上離間して配置されている。
【選択図】図２【図１】
0006683286.tif 000004
【図２】
0006683286.tif 000005
【図３】
0006683286.tif 000006
【図４】
0006683286.tif 000007
【図５】
0006683286.tif 000008
【図６】
0006683286.tif 000009
【図７】
0006683286.tif 000010